(57)【特許請求の範囲】
【請求項１】
設定項目に関する設定を受け付ける領域である設定領域を含む操作画面を表示する表示装置であって、
基準となる拡大率で前記操作画面を表示する表示手段と、
前記表示手段にて表示した前記操作画面において、設定領域の選択を受け付ける選択受付手段とを備え、
前記選択受付手段は、
設定領域内に存在するキー以外の部分へのタッチを受け付けるタッチ受付手段と、
前記タッチ受付手段にて受け付けたタッチが属する設定領域の選択を受け付けるタッチ選択受付手段とを含み、
前記選択受付手段にて選択を受け付けた後で、前記操作画面を拡大する操作であって、ピンチアウト操作およびハードウェアキーを押下する操作のうち少なくともいずれか一方の操作を受け付ける拡大受付手段と、
前記拡大受付手段にて拡大する操作を受け付けた場合に、前記基準となる拡大率よりも高い拡大率で前記操作画面を拡大した拡大画面であって、前記選択受付手段にて選択を受け付けた設定領域の全体を含む拡大画面を表示する拡大手段とをさらに備えた、表示装置。
【請求項２】
設定項目に関する設定を受け付ける領域である設定領域を含む操作画面を表示する表示装置であって、
基準となる拡大率で前記操作画面を表示する表示手段と、
前記表示手段にて表示した前記操作画面において、設定領域の選択を受け付ける選択受付手段と、
前記選択受付手段にて選択を受け付けた後で、前記操作画面を拡大する操作を受け付ける拡大受付手段と、
前記拡大受付手段にて拡大する操作を受け付けた場合に、前記基準となる拡大率よりも高い拡大率で前記操作画面を拡大した拡大画面であって、前記選択受付手段にて選択を受け付けた設定領域の全体を含む拡大画面を表示する拡大手段とを備え、
前記選択受付手段は、複数の設定領域の選択を受け付け、
前記拡大手段は、
前記拡大受付手段にて拡大する操作を受け付けた場合に、前記複数の設定領域のうち１つの設定領域の全体を含む拡大画面を表示する第１の拡大手段と、
前記複数の設定領域のうちいずれかの設定領域の全体を含む拡大画面を表示した場合に、別の設定領域を表示させる操作を受け付ける別領域操作受付手段と、
前記別領域操作受付手段にて操作を受け付けた場合に、前記複数の設定領域のうち未だ拡大画面を表示していない１つの設定領域の全体を含む拡大画面を表示する第２の拡大手段とを含む、表示装置。
【請求項３】
前記操作画面を拡大した拡大画面に含まれる設定領域が、設定項目の設定を完了するキーを含む場合、前記別の設定領域を表示させる操作は、設定項目の設定を完了するキーの押下である、請求項２に記載の表示装置。
【請求項４】
前記操作画面を拡大した拡大画面に含まれる設定領域が、設定項目の設定を完了するキーを含まない場合、前記別の設定領域を表示させる操作は、フリック操作である、請求項２または３に記載の表示装置。
【請求項５】
前記第２の拡大手段は、前記選択受付手段にて選択を受け付けた順序で、設定領域の全体を含む拡大画面を表示する、請求項２〜４のいずれかに記載の表示装置。
【請求項６】
前記第２の拡大手段は、前記複数の設定領域のうち未だ拡大画面を表示していない設定領域の設定項目の内容と、前記複数の設定領域のうち既に設定を受け付けた設定領域の設定項目の内容との組合せが禁止されている場合、前記複数の設定領域のうち未だ拡大画面を表示していない設定領域の拡大画面を表示しない、請求項２〜５のいずれかに記載の表示装置。
【請求項７】
設定項目に関する設定を受け付ける領域である設定領域を含む操作画面を表示する表示装置であって、
基準となる拡大率で前記操作画面を表示する表示手段と、
前記表示手段にて表示した前記操作画面において、設定領域の選択を受け付ける選択受付手段と、
前記選択受付手段にて選択を受け付けた後で、前記操作画面を拡大する操作を受け付ける拡大受付手段と、
前記拡大受付手段にて拡大する操作を受け付けた場合に、前記基準となる拡大率よりも高い拡大率で前記操作画面を拡大した拡大画面であって、前記選択受付手段にて選択を受け付けた設定領域の全体を含む拡大画面を表示する拡大手段とを備え、
前記選択受付手段は、
前記操作画面において、閉領域を描く操作を受け付ける閉領域受付手段と、
前記閉領域受付手段にて受け付けた操作の閉領域内に存在する設定領域の選択を受け付ける閉領域選択受付手段とを含む、表示装置。
【請求項８】
前記閉領域選択受付手段は、前記閉領域受付手段にて受け付けた操作の閉領域内にキーが存在する場合に、前記キーが属する設定領域の選択を受け付ける、請求項７に記載の表示装置。
【請求項９】
設定項目に関する設定を受け付ける領域である設定領域を含む操作画面を表示する表示装置であって、
基準となる拡大率で前記操作画面を表示する表示手段と、
前記表示手段にて表示した前記操作画面において、設定領域の選択を受け付ける選択受付手段と、
前記選択受付手段にて選択を受け付けた後で、前記操作画面を拡大する操作を受け付ける拡大受付手段と、
前記拡大受付手段にて拡大する操作を受け付けた場合に、前記基準となる拡大率よりも高い拡大率で前記操作画面を拡大した拡大画面であって、前記選択受付手段にて選択を受け付けた設定領域の全体を含む拡大画面を表示する拡大手段と、
前記操作画面を拡大した拡大画面の設定領域に属するキーであって、前記操作画面とは別の画面である遷移画面への遷移を伴うキーの押下を受け付ける遷移キー受付手段と、
前記遷移キー受付手段にてキーの押下を受け付けた場合に、前記基準となる拡大率で前記遷移画面を表示する遷移画面表示手段とを備えた、表示装置。
【請求項１０】
前記遷移画面表示手段は、前記操作画面を拡大した拡大画面の拡大率を維持して、前記操作画面を拡大した拡大画面の上に前記遷移画面を重ねて表示する、請求項９に記載の表示装置。
【請求項１１】
設定項目に関する設定を受け付ける領域である設定領域を含む操作画面を表示する表示装置であって、
基準となる拡大率で前記操作画面を表示する表示手段と、
前記表示手段にて表示した前記操作画面において、設定領域の選択を受け付ける選択受付手段と、
前記選択受付手段にて選択を受け付けた後で、前記操作画面を拡大する操作を受け付ける拡大受付手段と、
前記拡大受付手段にて拡大する操作を受け付けた場合に、前記基準となる拡大率よりも高い拡大率で前記操作画面を拡大した拡大画面であって、前記選択受付手段にて選択を受け付けた設定領域の全体を含む拡大画面を表示する拡大手段とを備え、
前記選択受付手段にて選択を受け付けた設定領域に属するキーが、押下された場合に新たな設定を受け付ける領域であるサブ領域の表示を伴うものである場合、前記拡大手段は、前記選択受付手段にて選択を受け付けた設定領域の全体と、前記サブ領域が表示される予定の領域の全体とを含む拡大画面を表示する、表示装置。
【請求項１２】
設定項目に関する設定を受け付ける領域である設定領域を含む操作画面を表示する表示装置であって、
基準となる拡大率で前記操作画面を表示する表示手段と、
前記表示手段にて表示した前記操作画面において、設定領域の選択を受け付ける選択受付手段と、
前記選択受付手段にて選択を受け付けた後で、前記操作画面を拡大する操作を受け付ける拡大受付手段と、
前記拡大受付手段にて拡大する操作を受け付けた場合に、前記基準となる拡大率よりも高い拡大率で前記操作画面を拡大した拡大画面であって、前記選択受付手段にて選択を受け付けた設定領域の全体を含む拡大画面を表示する拡大手段と、
前記操作画面を拡大した拡大画面において、前記選択受付手段にて選択を受け付けた設定領域外へのタッチを受け付ける領域外タッチ受付手段と、
前記領域外タッチ受付手段にてタッチを受け付けた場合に、前記基準となる拡大率で前記操作画面を表示する再表示手段とを備えた、表示装置。
【請求項１３】
設定項目に関する設定を受け付ける領域である設定領域を含む操作画面を表示する表示装置の制御プログラムであって、
基準となる拡大率で前記操作画面を表示する表示ステップと、
前記表示ステップにて表示した前記操作画面において、設定領域の選択を受け付ける選択受付ステップとをコンピューターに実行させるためのものであり、
前記選択受付ステップは、
設定領域内に存在するキー以外の部分へのタッチを受け付けるタッチ受付ステップと、
前記タッチ受付ステップにて受け付けたタッチが属する設定領域の選択を受け付けるタッチ選択受付ステップとを含み、
前記選択受付ステップにて選択を受け付けた後で、前記操作画面を拡大する操作であって、ピンチアウト操作およびハードウェアキーを押下する操作のうち少なくともいずれか一方の操作を受け付ける拡大受付ステップと、
前記拡大受付ステップにて拡大する操作を受け付けた場合に、前記基準となる拡大率よりも高い拡大率で前記操作画面を拡大した拡大画面であって、前記選択受付ステップにて選択を受け付けた設定領域の全体を含む拡大画面を表示する拡大ステップとをさらにコンピューターに実行させるための、表示装置の制御プログラム。
【請求項１４】
設定項目に関する設定を受け付ける領域である設定領域を含む操作画面を表示する表示装置の制御プログラムであって、
基準となる拡大率で前記操作画面を表示する表示ステップと、
前記表示ステップにて表示した前記操作画面において、設定領域の選択を受け付ける選択受付ステップと、
前記選択受付ステップにて選択を受け付けた後で、前記操作画面を拡大する操作を受け付ける拡大受付ステップと、
前記拡大受付ステップにて拡大する操作を受け付けた場合に、前記基準となる拡大率よりも高い拡大率で前記操作画面を拡大した拡大画面であって、前記選択受付ステップにて選択を受け付けた設定領域の全体を含む拡大画面を表示する拡大ステップとをコンピューターに実行させるためのものであり、
前記選択受付ステップにおいて、複数の設定領域の選択を受け付け、
前記拡大ステップは、
前記拡大受付ステップにて拡大する操作を受け付けた場合に、前記複数の設定領域のうち１つの設定領域の全体を含む拡大画面を表示する第１の拡大ステップと、
前記複数の設定領域のうちいずれかの設定領域の全体を含む拡大画面を表示した場合に、別の設定領域を表示させる操作を受け付ける別領域操作受付ステップと、
前記別領域操作受付ステップにて操作を受け付けた場合に、前記複数の設定領域のうち未だ拡大画面を表示していない１つの設定領域の全体を含む拡大画面を表示する第２の拡大ステップとを含む、表示装置の制御プログラム。
【請求項１５】
設定項目に関する設定を受け付ける領域である設定領域を含む操作画面を表示する表示装置の制御プログラムであって、
基準となる拡大率で前記操作画面を表示する表示ステップと、
前記表示ステップにて表示した前記操作画面において、設定領域の選択を受け付ける選択受付ステップと、
前記選択受付ステップにて選択を受け付けた後で、前記操作画面を拡大する操作を受け付ける拡大受付ステップと、
前記拡大受付ステップにて拡大する操作を受け付けた場合に、前記基準となる拡大率よりも高い拡大率で前記操作画面を拡大した拡大画面であって、前記選択受付ステップにて選択を受け付けた設定領域の全体を含む拡大画面を表示する拡大ステップとをコンピューターに実行させるためのものであり、
前記選択受付ステップは、
前記操作画面において、閉領域を描く操作を受け付ける閉領域受付ステップと、
前記閉領域受付ステップにて受け付けた操作の閉領域内に存在する設定領域の選択を受け付ける閉領域選択受付ステップとを含む、表示装置の制御プログラム。
【請求項１６】
設定項目に関する設定を受け付ける領域である設定領域を含む操作画面を表示する表示装置の制御プログラムであって、
基準となる拡大率で前記操作画面を表示する表示ステップと、
前記表示ステップにて表示した前記操作画面において、設定領域の選択を受け付ける選択受付ステップと、
前記選択受付ステップにて選択を受け付けた後で、前記操作画面を拡大する操作を受け付ける拡大受付ステップと、
前記拡大受付ステップにて拡大する操作を受け付けた場合に、前記基準となる拡大率よりも高い拡大率で前記操作画面を拡大した拡大画面であって、前記選択受付ステップにて選択を受け付けた設定領域の全体を含む拡大画面を表示する拡大ステップと、
前記操作画面を拡大した拡大画面の設定領域に属するキーであって、前記操作画面とは別の画面である遷移画面への遷移を伴うキーの押下を受け付ける遷移キー受付ステップと、
前記遷移キー受付ステップにてキーの押下を受け付けた場合に、前記基準となる拡大率で前記遷移画面を表示する遷移画面表示ステップとをコンピューターに実行させるための、表示装置の制御プログラム。
【請求項１７】
設定項目に関する設定を受け付ける領域である設定領域を含む操作画面を表示する表示装置の制御プログラムであって、
基準となる拡大率で前記操作画面を表示する表示ステップと、
前記表示ステップにて表示した前記操作画面において、設定領域の選択を受け付ける選択受付ステップと、
前記選択受付ステップにて選択を受け付けた後で、前記操作画面を拡大する操作を受け付ける拡大受付ステップと、
前記拡大受付ステップにて拡大する操作を受け付けた場合に、前記基準となる拡大率よりも高い拡大率で前記操作画面を拡大した拡大画面であって、前記選択受付ステップにて選択を受け付けた設定領域の全体を含む拡大画面を表示する拡大ステップとをコンピューターに実行させるためのものであり、
前記選択受付ステップにて選択を受け付けた設定領域に属するキーが、押下された場合に新たな設定を受け付ける領域であるサブ領域の表示を伴うものである場合、前記拡大ステップにおいて、前記選択受付ステップにて選択を受け付けた設定領域の全体と、前記サブ領域が表示される予定の領域の全体とを含む拡大画面を表示する、表示装置の制御プログラム。
【請求項１８】
設定項目に関する設定を受け付ける領域である設定領域を含む操作画面を表示する表示装置の制御プログラムであって、
基準となる拡大率で前記操作画面を表示する表示ステップと、
前記表示ステップにて表示した前記操作画面において、設定領域の選択を受け付ける選択受付ステップと、
前記選択受付ステップにて選択を受け付けた後で、前記操作画面を拡大する操作を受け付ける拡大受付ステップと、
前記拡大受付ステップにて拡大する操作を受け付けた場合に、前記基準となる拡大率よりも高い拡大率で前記操作画面を拡大した拡大画面であって、前記選択受付ステップにて選択を受け付けた設定領域の全体を含む拡大画面を表示する拡大ステップと、
前記操作画面を拡大した拡大画面において、前記選択受付ステップにて選択を受け付けた設定領域外へのタッチを受け付ける領域外タッチ受付ステップと、
前記領域外タッチ受付ステップにてタッチを受け付けた場合に、前記基準となる拡大率で前記操作画面を表示する再表示ステップとをコンピューターに実行させるためのものである、表示装置の制御プログラム。
【発明の詳細な説明】
【技術分野】
【０００１】
本発明は、表示装置および表示装置の制御プログラムに関する。より特定的には、本発明は、操作性を向上することのできる表示装置および表示装置の制御プログラムに関する。
【背景技術】
【０００２】
電子写真式の画像形成装置には、スキャナー機能、ファクシミリ機能、複写機能、プリンターとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。画像形成装置の多くは、操作画面を表示する操作パネルを含んでいる。
【０００３】
画像形成装置、特にＭＦＰは、近年多機能化が進んでおり、操作パネルの一画面に表示する必要のある情報や設定項目などが増加している。そのため、操作画面内の入力キーや文字のフォントが小さくなっている。その結果、操作画面に表示された入力キーが押下しづらくなったり、操作画面に表示された文字が読みづらくなったりしている。この問題を解決するために、画像形成装置は、ピンチアウトなどの拡大操作を受け付けた場合に、操作画面の一部を拡大し、ピンチインなどの縮小操作を受け付けた場合に、操作画面を縮小する機能を有している。これにより、ユーザーは、操作画面内の入力キーや文字のフォントを適切な大きさで表示することができる。
【０００４】
操作画面の拡大表示に関する技術は、たとえば下記特許文献１などに開示されている。下記特許文献１は、拡大表示キーが押下されると、表示部の表示領域部の第１行目の左側領域を表示領域の全面に拡大表示する操作装置を開示している。この操作装置は、その後、表示画面を左側にスクロールし、表示画面が右端に到達すると、次行があるか否かを判定する。操作装置は、次行が無い場合、再び第１行目の左側領域を拡大表示する。操作装置は、次行がある場合、次行の左側領域を表示領域の全面に拡大表示し、次に画面を左側にスクロールする。
【先行技術文献】
【特許文献】
【０００５】
【特許文献１】特開２００４−０２５７９９号公報
【発明の概要】
【発明が解決しようとする課題】
【０００６】
従来において操作画面の所望する領域を拡大する際には、所望する領域が拡大後の画面に含まれるように拡大操作を行う必要がある。しかし、拡大の中心を正確に定めながら拡大操作を行うことは困難であり、所望する領域が拡大後の操作画面から外れやすかった。その結果、ユーザーは、拡大後の画面を再び縮小することで操作画面全体を再び表示する方法や、拡大したまま操作画面をスクロールさせる方法などで所望の領域を探す必要があった。特に、操作画面が複数の設定を受け付ける画面（一括設定画面）である場合、拡大後の操作画面には一部のキーが表示されないため、ユーザーは、所望のキーを探す必要があった。このように、従来の操作パネルには操作性が低いという問題があった。
【０００７】
この問題は、画像形成装置の操作パネルでのみ発生するものではなく、表示装置全般において起こり得るものである。
【０００８】
本発明は、上記課題を解決するためのものであり、その目的は、操作性を向上することのできる表示装置および表示装置の制御プログラムを提供することである。
【課題を解決するための手段】
【０００９】
本発明の一の局面に従う表示装置は、設定項目に関する設定を受け付ける領域である設定領域を含む操作画面を表示する表示装置であって、基準となる拡大率で操作画面を表示する表示手段と、表示手段にて表示した操作画面において、設定領域の選択を受け付ける選択受付手段とを備え、選択受付手段は、設定領域内に存在するキー以外の部分へのタッチを受け付けるタッチ受付手段と、タッチ受付手段にて受け付けたタッチが属する設定領域の選択を受け付けるタッチ選択受付手段とを含み、選択受付手段にて選択を受け付けた後で、操作画面を拡大する操作であって、ピンチアウト操作およびハードウェアキーを押下する操作のうち少なくともいずれか一方の操作を受け付ける拡大受付手段と、拡大受付手段にて拡大する操作を受け付けた場合に、基準となる拡大率よりも高い拡大率で操作画面を拡大した拡大画面であって、選択受付手段にて選択を受け付けた設定領域の全体を含む拡大画面を表示する拡大手段とをさらに備える。
【００１０】
本発明の他の局面に従う表示装置は、設定項目に関する設定を受け付ける領域である設定領域を含む操作画面を表示する表示装置であって、基準となる拡大率で操作画面を表示する表示手段と、表示手段にて表示した操作画面において、設定領域の選択を受け付ける選択受付手段と、選択受付手段にて選択を受け付けた後で、操作画面を拡大する操作を受け付ける拡大受付手段と、拡大受付手段にて拡大する操作を受け付けた場合に、基準となる拡大率よりも高い拡大率で操作画面を拡大した拡大画面であって、選択受付手段にて選択を受け付けた設定領域の全体を含む拡大画面を表示する拡大手段とを備え、選択受付手段は、複数の設定領域の選択を受け付け、拡大手段は、拡大受付手段にて拡大する操作を受け付けた場合に、複数の設定領域のうち１つの設定領域の全体を含む拡大画面を表示する第１の拡大手段と、複数の設定領域のうちいずれかの設定領域の全体を含む拡大画面を表示した場合に、別の設定領域を表示させる操作を受け付ける別領域操作受付手段と、別領域操作受付手段にて操作を受け付けた場合に、複数の設定領域のうち未だ拡大画面を表示していない１つの設定領域の全体を含む拡大画面を表示する第２の拡大手段とを含む。
【００１１】
上記表示装置において好ましくは、操作画面を拡大した拡大画面に含まれる設定領域が、設定項目の設定を完了するキーを含む場合、別の設定領域を表示させる操作は、設定項目の設定を完了するキーの押下である。
【００１２】
上記表示装置において好ましくは、操作画面を拡大した拡大画面に含まれる設定領域が、設定項目の設定を完了するキーを含まない場合、別の設定領域を表示させる操作は、フリック操作である。
【００１３】
上記表示装置において好ましくは、第２の拡大手段は、選択受付手段にて選択を受け付けた順序で、設定領域の全体を含む拡大画面を表示する。
【００１４】
上記表示装置において好ましくは、第２の拡大手段は、複数の設定領域のうち未だ拡大画面を表示していない設定領域の設定項目の内容と、複数の設定領域のうち既に設定を受け付けた設定領域の設定項目の内容との組合せが禁止されている場合、複数の設定領域のうち未だ拡大画面を表示していない設定領域の拡大画面を表示しない。
【００１５】
本発明のさらに他の局面に従う表示装置は、設定項目に関する設定を受け付ける領域である設定領域を含む操作画面を表示する表示装置であって、基準となる拡大率で操作画面を表示する表示手段と、表示手段にて表示した操作画面において、設定領域の選択を受け付ける選択受付手段と、選択受付手段にて選択を受け付けた後で、操作画面を拡大する操作を受け付ける拡大受付手段と、拡大受付手段にて拡大する操作を受け付けた場合に、基準となる拡大率よりも高い拡大率で操作画面を拡大した拡大画面であって、選択受付手段にて選択を受け付けた設定領域の全体を含む拡大画面を表示する拡大手段とを備え、選択受付手段は、操作画面において、閉領域を描く操作を受け付ける閉領域受付手段と、閉領域受付手段にて受け付けた操作の閉領域内に存在する設定領域の選択を受け付ける閉領域選択受付手段とを含む。
【００１６】
上記表示装置において好ましくは、閉領域選択受付手段は、閉領域受付手段にて受け付けた操作の閉領域内にキーが存在する場合に、キーが属する設定領域の選択を受け付ける。
【００１８】
本発明のさらに他の局面に従う表示装置は、設定項目に関する設定を受け付ける領域である設定領域を含む操作画面を表示する表示装置であって、基準となる拡大率で操作画面を表示する表示手段と、表示手段にて表示した操作画面において、設定領域の選択を受け付ける選択受付手段と、選択受付手段にて選択を受け付けた後で、操作画面を拡大する操作を受け付ける拡大受付手段と、拡大受付手段にて拡大する操作を受け付けた場合に、基準となる拡大率よりも高い拡大率で操作画面を拡大した拡大画面であって、選択受付手段にて選択を受け付けた設定領域の全体を含む拡大画面を表示する拡大手段と、操作画面を拡大した拡大画面の設定領域に属するキーであって、操作画面とは別の画面である遷移画面への遷移を伴うキーの押下を受け付ける遷移キー受付手段と、遷移キー受付手段にてキーの押下を受け付けた場合に、基準となる拡大率で遷移画面を表示する遷移画面表示手段とを備える。
【００１９】
上記表示装置において好ましくは、遷移画面表示手段は、操作画面を拡大した拡大画面の拡大率を維持して、操作画面を拡大した拡大画面の上に遷移画面を重ねて表示する。
【００２０】
本発明のさらに他の局面に従う表示装置は、設定項目に関する設定を受け付ける領域である設定領域を含む操作画面を表示する表示装置であって、基準となる拡大率で操作画面を表示する表示手段と、表示手段にて表示した操作画面において、設定領域の選択を受け付ける選択受付手段と、選択受付手段にて選択を受け付けた後で、操作画面を拡大する操作を受け付ける拡大受付手段と、拡大受付手段にて拡大する操作を受け付けた場合に、基準となる拡大率よりも高い拡大率で操作画面を拡大した拡大画面であって、選択受付手段にて選択を受け付けた設定領域の全体を含む拡大画面を表示する拡大手段とを備え、選択受付手段にて選択を受け付けた設定領域に属するキーが、押下された場合に新たな選択肢を表示する領域であるサブ領域の表示を伴うものである場合、拡大手段は、選択受付手段にて選択を受け付けた設定領域の全体と、サブ領域が表示される予定の領域の全体とを含む拡大画面を表示する。
【００２１】
本発明のさらに他の局面に従う表示装置は、設定項目に関する設定を受け付ける領域である設定領域を含む操作画面を表示する表示装置であって、基準となる拡大率で操作画面を表示する表示手段と、表示手段にて表示した操作画面において、設定領域の選択を受け付ける選択受付手段と、選択受付手段にて選択を受け付けた後で、操作画面を拡大する操作を受け付ける拡大受付手段と、拡大受付手段にて拡大する操作を受け付けた場合に、基準となる拡大率よりも高い拡大率で操作画面を拡大した拡大画面であって、選択受付手段にて選択を受け付けた設定領域の全体を含む拡大画面を表示する拡大手段と、操作画面を拡大した拡大画面において、選択受付手段にて選択を受け付けた設定領域外へのタッチを受け付ける領域外タッチ受付手段と、領域外タッチ受付手段にてタッチを受け付けた場合に、基準となる拡大率で操作画面を表示する再表示手段とを備える。
【００２２】
本発明のさらに他の局面に従う表示装置の制御プログラムは、設定項目に関する設定を受け付ける領域である設定領域を含む操作画面を表示する表示装置の制御プログラムであって、基準となる拡大率で操作画面を表示する表示ステップと、表示ステップにて表示した操作画面において、設定領域の選択を受け付ける選択受付ステップとをコンピューターに実行させるためのものであり、選択受付ステップは、設定領域内に存在するキー以外の部分へのタッチを受け付けるタッチ受付ステップと、タッチ受付ステップにて受け付けたタッチが属する設定領域の選択を受け付けるタッチ選択受付ステップとを含み、選択受付ステップにて選択を受け付けた後で、操作画面を拡大する操作であって、ピンチアウト操作およびハードウェアキーを押下する操作のうち少なくともいずれか一方の操作を受け付ける拡大受付ステップと、拡大受付ステップにて拡大する操作を受け付けた場合に、基準となる拡大率よりも高い拡大率で操作画面を拡大した拡大画面であって、選択受付ステップにて選択を受け付けた設定領域の全体を含む拡大画面を表示する拡大ステップとをさらにコンピューターに実行させるためのものである。
本発明のさらに他の局面に従う表示装置の制御プログラムは、設定項目に関する設定を受け付ける領域である設定領域を含む操作画面を表示する表示装置の制御プログラムであって、基準となる拡大率で操作画面を表示する表示ステップと、表示ステップにて表示した操作画面において、設定領域の選択を受け付ける選択受付ステップと、選択受付ステップにて選択を受け付けた後で、操作画面を拡大する操作を受け付ける拡大受付ステップと、拡大受付ステップにて拡大する操作を受け付けた場合に、基準となる拡大率よりも高い拡大率で操作画面を拡大した拡大画面であって、選択受付ステップにて選択を受け付けた設定領域の全体を含む拡大画面を表示する拡大ステップとをコンピューターに実行させるためのものであり、選択受付ステップにおいて、複数の設定領域の選択を受け付け、拡大ステップは、拡大受付ステップにて拡大する操作を受け付けた場合に、複数の設定領域のうち１つの設定領域の全体を含む拡大画面を表示する第１の拡大ステップと、複数の設定領域のうちいずれかの設定領域の全体を含む拡大画面を表示した場合に、別の設定領域を表示させる操作を受け付ける別領域操作受付ステップと、別領域操作受付ステップにて操作を受け付けた場合に、複数の設定領域のうち未だ拡大画面を表示していない１つの設定領域の全体を含む拡大画面を表示する第２の拡大ステップとを含む。
本発明のさらに他の局面に従う表示装置の制御プログラムは、設定項目に関する設定を受け付ける領域である設定領域を含む操作画面を表示する表示装置の制御プログラムであって、基準となる拡大率で操作画面を表示する表示ステップと、表示ステップにて表示した操作画面において、設定領域の選択を受け付ける選択受付ステップと、選択受付ステップにて選択を受け付けた後で、操作画面を拡大する操作を受け付ける拡大受付ステップと、拡大受付ステップにて拡大する操作を受け付けた場合に、基準となる拡大率よりも高い拡大率で操作画面を拡大した拡大画面であって、選択受付ステップにて選択を受け付けた設定領域の全体を含む拡大画面を表示する拡大ステップとをコンピューターに実行させるためのものであり、選択受付ステップは、操作画面において、閉領域を描く操作を受け付ける閉領域受付ステップと、閉領域受付ステップにて受け付けた操作の閉領域内に存在する設定領域の選択を受け付ける閉領域選択受付ステップとを含む。
本発明のさらに他の局面に従う表示装置の制御プログラムは、設定項目に関する設定を受け付ける領域である設定領域を含む操作画面を表示する表示装置の制御プログラムであって、基準となる拡大率で操作画面を表示する表示ステップと、表示ステップにて表示した操作画面において、設定領域の選択を受け付ける選択受付ステップと、選択受付ステップにて選択を受け付けた後で、操作画面を拡大する操作を受け付ける拡大受付ステップと、拡大受付ステップにて拡大する操作を受け付けた場合に、基準となる拡大率よりも高い拡大率で操作画面を拡大した拡大画面であって、選択受付ステップにて選択を受け付けた設定領域の全体を含む拡大画面を表示する拡大ステップと、操作画面を拡大した拡大画面の設定領域に属するキーであって、操作画面とは別の画面である遷移画面への遷移を伴うキーの押下を受け付ける遷移キー受付ステップと、遷移キー受付ステップにてキーの押下を受け付けた場合に、基準となる拡大率で遷移画面を表示する遷移画面表示ステップとをコンピューターに実行させるためのものである。
本発明のさらに他の局面に従う表示装置の制御プログラムは、設定項目に関する設定を受け付ける領域である設定領域を含む操作画面を表示する表示装置の制御プログラムであって、基準となる拡大率で操作画面を表示する表示ステップと、表示ステップにて表示した操作画面において、設定領域の選択を受け付ける選択受付ステップと、選択受付ステップにて選択を受け付けた後で、操作画面を拡大する操作を受け付ける拡大受付ステップと、拡大受付ステップにて拡大する操作を受け付けた場合に、基準となる拡大率よりも高い拡大率で操作画面を拡大した拡大画面であって、選択受付ステップにて選択を受け付けた設定領域の全体を含む拡大画面を表示する拡大ステップとをコンピューターに実行させるためのものであり、選択受付ステップにて選択を受け付けた設定領域に属するキーが、押下された場合に新たな設定を受け付ける領域であるサブ領域の表示を伴うものである場合、拡大ステップにおいて、選択受付ステップにて選択を受け付けた設定領域の全体と、サブ領域が表示される予定の領域の全体とを含む拡大画面を表示する。
本発明のさらに他の局面に従う表示装置の制御プログラムは、設定項目に関する設定を受け付ける領域である設定領域を含む操作画面を表示する表示装置の制御プログラムであって、基準となる拡大率で操作画面を表示する表示ステップと、表示ステップにて表示した操作画面において、設定領域の選択を受け付ける選択受付ステップと、選択受付ステップにて選択を受け付けた後で、操作画面を拡大する操作を受け付ける拡大受付ステップと、拡大受付ステップにて拡大する操作を受け付けた場合に、基準となる拡大率よりも高い拡大率で操作画面を拡大した拡大画面であって、選択受付ステップにて選択を受け付けた設定領域の全体を含む拡大画面を表示する拡大ステップと、操作画面を拡大した拡大画面において、選択受付ステップにて選択を受け付けた設定領域外へのタッチを受け付ける領域外タッチ受付ステップと、領域外タッチ受付ステップにてタッチを受け付けた場合に、基準となる拡大率で操作画面を表示する再表示ステップとをコンピューターに実行させるためのものである。
【発明の効果】
【００２３】
本発明によれば、操作性を向上することのできる表示装置および表示装置の制御プログラムを提供することができる。
【図面の簡単な説明】
【００２４】
【図１】本発明の一実施の形態における表示装置１の外観を模式的に示す図である。
【図２】本発明の一実施の形態における表示装置１の内部構成を示すブロック図である。
【図３】本発明の一実施の形態において、表示装置１が操作パネル１３０に表示する操作画面ＣＳ１を模式的に示す図である。
【図４】本発明の一実施の形態において、操作画面ＣＳ１上でユーザーが行う、設定領域を選択する操作の一例を模式的に示す図である。
【図５】本発明の一実施の形態において、操作画面ＣＳ１上でユーザーが行う、設定領域を選択する操作の他の例を模式的に示す図である。
【図６】本発明の一実施の形態において、設定領域を選択した後にユーザーが行う、操作画面ＣＳ１を拡大する操作の一例を模式的に示す図である。
【図７】本発明の一実施の形態において、表示装置１が操作画面ＣＳ１を拡大する操作を受け付けた場合に、表示する拡大画面ＥＬ１を模式的に示す図である。
【図８】本発明の一実施の形態において、拡大画面ＥＬ１上でユーザーが行うキーＫＹ１１の押下を模式的に示す図である。
【図９】本発明の一実施の形態において、拡大画面ＥＬ１上でキーＫＹ１１が押下された場合に表示装置１が表示する拡大画面ＥＬ２を模式的に示す図である。
【図１０】本発明の一実施の形態において、拡大画面ＥＬ２上でユーザーが行うフリック操作を模式的に示す図である。
【図１１】本発明の一実施の形態において、拡大画面ＥＬ２上でフリック操作が行われた場合に表示装置１が表示する拡大画面ＥＬ３を模式的に示す図である。
【図１２】本発明の一実施の形態において、拡大画面ＥＬ３上でユーザーが行うキーＫＹ５１の押下を模式的に示す図である。
【図１３】本発明の一実施の形態において、拡大画面ＥＬ１上でユーザーが行う設定に無関係な位置へのタッチを模式的に示す図である。
【図１４】本発明の一実施の形態において、拡大画面ＥＬ１上でユーザーが行うキーＫＹ１６の押下を模式的に示す図である。
【図１５】本発明の一実施の形態において、操作画面ＣＳ１上に表示されたポップアップ画面ＰＳの一例を模式的に示す図である。
【図１６】本発明の一実施の形態において、操作画面ＣＳ１上に表示されたポップアップ画面ＰＳの他の例を模式的に示す図である。
【図１７】本発明の一実施の形態において、表示装置１が操作パネル１３０に表示する操作画面ＣＳ２を模式的に示す図である。
【図１８】本発明の一実施の形態において、操作画面ＣＳ２を拡大する操作を受け付けた場合に、表示装置１が表示する拡大画面ＥＬ４を模式的に示す図である。
【図１９】本発明の一実施の形態において、表示装置１が操作パネル１３０に表示する操作画面ＣＳ３を模式的に示す図である。
【図２０】本発明の一実施の形態において、操作画面ＣＳ３を拡大する操作を受け付けた場合に、表示装置１が表示する拡大画面ＥＬ５を模式的に示す図である。
【図２１】本発明の一実施の形態において、拡大画面ＥＬ５内に表示されたサブ領域ＳＲＸを模式的に示す図である。
【図２２】本発明の一実施の形態において、表示装置１が実行するタッチによる領域選択処理のフローチャートである。
【図２３】本発明の一実施の形態において、表示装置１が実行する閉領域による領域選択処理のフローチャートである。
【図２４】本発明の一実施の形態において、表示装置１が実行する拡大操作処理のフローチャートである。
【図２５】本発明の一実施の形態において、表示装置１が実行するキー選択処理のフローチャートである。
【図２６】図２５のステップＳ４１３の次画面遷移処理のサブルーチンである。
【図２７】本発明の一実施の形態において、表示装置１が実行する元画面遷移処理のフローチャートである。
【発明を実施するための形態】
【００２５】
以下、本発明の一実施の形態について、図面に基づいて説明する。
【００２６】
以下の実施の形態では、表示装置が画像形成装置である場合について説明する。画像形成装置としては、たとえばＭＦＰ、プリンター、複写機、またはファクシミリなどが挙げられる。表示装置は、画像形成装置の他、たとえばスマートフォン、タブレット、またはＰＣ（Ｐｅｒｓｏｎａｌ  Ｃｏｍｐｕｔｅｒ）などであってもよい。
【００２７】
［表示装置の構成］
【００２８】
始めに、本実施の形態における表示装置の構成について説明する。
【００２９】
図１は、本発明の一実施の形態における表示装置１の外観を模式的に示す図である。図１では、表示装置１の操作パネル１３０が拡大して示されている。
【００３０】
表示装置１は、その前面に操作パネル１３０を備えている。操作パネル１３０は、表示装置１に関する各種情報を表示し、かつ表示装置１に対する各種操作を受け付ける。操作パネル１３０が表示装置１に対する各種操作には、表示装置１が実行する各種ジョブの設定を行う操作などが含まれている。
【００３１】
図２は、本発明の一実施の形態における表示装置１の内部構成を示すブロック図である。
【００３２】
図２を参照して、表示装置１は、ＣＰＵ（Ｃｅｎｔｒａｌ  Ｐｒｏｃｅｓｓｉｎｇ  Ｕｎｉｔ）１０１と、ＲＯＭ（Ｒｅａｄ  Ｏｎｌｙ  Ｍｅｍｏｒｙ）１０２と、ＳＲＡＭ（Ｓｔａｔｉｃ  Ｒａｎｄｏｍ  Ａｃｃｅｓｓ  Ｍｅｍｏｒｙ）１０３と、ＮＶＲＡＭ（Ｎｏｎ  Ｖｏｌａｔｉｌｅ  Ｒａｎｄｏｍ  Ａｃｃｅｓｓ  Ｍｅｍｏｒｙ）１０４と、時計ＩＣ（Ｉｎｔｅｇｒａｔｅｄ  Ｃｉｒｃｕｉｔ）１０５と、固定記憶装置１１０と、画像読取装置１２０と、操作パネル１３０と、画像出力装置１４０と、プリンターコントローラー１５０と、ネットワークＩ／Ｆ１６０とを備えている。
【００３３】
ＣＰＵ１０１には、ＲＯＭ１０２、ＳＲＡＭ１０３、ＮＶＲＡＭ１０４、および時計ＩＣ１０５の各々がバスを介して接続されている。ＣＰＵ１０１、ＲＯＭ１０２、ＳＲＡＭ１０３、ＮＶＲＡＭ１０４、および時計ＩＣ１０５によって制御部１００が構成されている。ＣＰＵ１０１は、制御プログラムに基づいて表示装置１全体の動作を制御する。ＲＯＭ１０２は制御プログラムを格納する。ＳＲＡＭ１０３はＣＰＵ１０１の作業用のメモリである。ＮＶＲＡＭ１０４はバッテリバックアップにより、画像形成に関わる各種の設定を記憶する。
【００３４】
制御部１００には、固定記憶装置１１０、画像読取装置１２０、操作パネル１３０、画像出力装置１４０、プリンターコントローラー１５０、およびネットワークＩ／Ｆ１６０の各々がバスを介して接続されている。
【００３５】
固定記憶装置１１０は、たとえばＨＤＤ（Ｈａｒｄ  Ｄｉｓｋ  Ｄｒｉｖｅ）であり、操作パネル１３０に表示する画面の画面データや、各種ファイルを格納するボックスなどを記憶している。
【００３６】
画像読取装置１２０は、原稿画像を読み取る。
【００３７】
操作パネル１３０は、ハードウェアキー１３１と、操作画面などの各種情報の画面を表示する表示部１３２と、表示部１３２の前面に配置されたタッチパネル１３３などを含んでいる。ハードウェアキー１３１は、数字の入力を受け付けるテンキー、各種ジョブの実行指示を受け付けるスタートキー、ユーザーのログアウトを受け付けるログアウトキー、画面を拡大して表示するための拡大キー、および画面を縮小して表示するための縮小キーなどを含んでいる。タッチパネル１３３は、表示部１３２へのタップなどの指示入力を受け付ける。
【００３８】
画像出力装置１４０は、複写画像を用紙上に形成する。画像出力装置１４０は、おおまかに、トナー像形成部、定着装置、および用紙搬送部などで構成される。画像出力装置１４０は、たとえば電子写真方式で用紙に画像を形成する。トナー像形成部は、いわゆるタンデム方式で４色の画像を合成し、用紙（記録媒体）にカラー画像を形成する。トナー像形成部は、Ｃ（シアン）、Ｍ（マゼンタ）、Ｙ（イエロー）、Ｋ（ブラック）の各色について設けられた感光体と、感光体からトナー像が転写（１次転写）される中間転写ベルトと、中間転写ベルトから用紙に画像を転写（２次転写）する転写部などで構成される。定着装置は、加熱ローラーおよび加圧ローラーを有する。定着装置は、加熱ローラーと加圧ローラーとでトナー像が形成された用紙を挟みながら搬送し、その用紙に加熱および加圧を行う。これにより、定着装置は、用紙に付着したトナーを溶融させて用紙に定着させ、用紙に画像を形成する。用紙搬送部は、給紙ローラー、搬送ローラー、およびそれらを駆動するモーターなどで構成されている。用紙搬送部は、用紙を給紙カセットから給紙して、表示装置１の筐体の内部で搬送する。また、用紙搬送部は、画像が形成された用紙を表示装置１の筐体から排紙トレイなどに排出する。
【００３９】
プリンターコントローラー１５０は、ネットワークＩ／Ｆ１６０により受信したプリントデータから複写画像を生成する。
【００４０】
ネットワークＩ／Ｆ１６０は、表示装置１をネットワーク４に接続する。ネットワークＩ／Ｆ１６０は、ネットワーク４を通じて、外部機器との間で各種の情報を送受信する。
【００４１】
［表示装置の動作の概要］
【００４２】
続いて、本実施の形態における表示装置の動作の概要について説明する。
【００４３】
図３は、本発明の一実施の形態において、表示装置１が操作パネル１３０に表示する操作画面ＣＳ１を模式的に示す図である。
【００４４】
図３を参照して、表示装置１がデフォルトの状態にある場合、表示装置１は、基準となる拡大率（１００％の拡大率）で、操作画面ＣＳ１を表示する。操作画面ＣＳ１は、コピージョブに関する各種設定を受け付ける画面である。操作画面ＣＳ１は、複数の設定領域ＳＲ１、ＳＲ２、ＳＲ３、ＳＲ４、ＳＲ５、ＳＲ６、およびＳＲ７を含んでいる。複数の設定領域ＳＲ１、ＳＲ２、ＳＲ３、ＳＲ４、ＳＲ５、ＳＲ６、およびＳＲ７の各々は、互いに異なる複数の設定項目の各々に関する設定を受け付ける領域である。
【００４５】
具体的には、設定領域ＳＲ１は、画像のカラーに関する設定を受け付ける領域である。設定領域ＳＲ１は、キーＫＹ１１、ＫＹ１２、ＫＹ１３、ＫＹ１４、ＫＹ１５、およびＫＹ１６を含んでいる。
【００４６】
設定領域ＳＲ２は、画像の印刷濃度に関する設定を受け付ける領域である。設定領域ＳＲ２では、９段階で濃度の変更が可能であり、濃度を調整するためのキーＫＹ２１およびＫＹ２２を含んでいる。
【００４７】
設定領域ＳＲ３は、用紙の向きおよびサイズに関する設定を受け付ける領域である。設定領域ＳＲ３は、横方向のＡ４用紙を選択するためのキーＫＹ３１などを含んでいる。
【００４８】
設定領域ＳＲ４は、プリント時のサイズに関する設定を受け付ける領域である。設定領域ＳＲ４は、Ｂ４サイズの原稿をＡ４サイズに縮小してプリントするためのキーＫＹ４１などを含んでいる。
【００４９】
設定領域ＳＲ５は、原稿の読み取り面および用紙への印刷面に関する設定を受け付ける領域である。
【００５０】
設定領域ＳＲ６は、１枚の用紙に集約する原稿の画像の枚数に関する設定を受け付ける領域である。設定領域ＳＲ６は、１枚の用紙に２枚の原稿の画像を集約するための（２イン１で印刷するための）キーＫＹ６１などを含んでいる。
【００５１】
設定領域ＳＲ７は、頻繁に用いる複数のショートカットキーの中から設定を受け付ける領域である。設定領域ＳＲ７は、選択肢として、原稿の画像を１００％の倍率で印刷するためのショートカットキーであるキーＫＹ７１などを含んでいる。
【００５２】
なお、操作画面は、設定項目に関する設定を受け付ける領域である設定領域を、少なくとも１つ含むものであればよい。設定項目の内容は任意であり、表示装置が実行するジョブに関する設定項目、表示装置から他の外部機器へ実行指示を行うジョブに関する設定項目、または表示装置自身の各種パラメーターに関する設定項目などであってもよい。
【００５３】
図４は、本発明の一実施の形態において、操作画面ＣＳ１上でユーザーが行う、設定領域を選択する操作の一例を模式的に示す図である。
【００５４】
図４を参照して、ここでは、ユーザーは、画像のカラーの設定（設定領域ＳＲ１）と、画像の印刷濃度の設定（設定領域ＳＲ２）と、原稿の読み取り面および用紙への印刷面の設定（設定領域ＳＲ５）とを行うことを望んでいるものとする。この場合ユーザーは、閉曲線ＣＣ１、ＣＣ２、ＣＣ３の各々を描く操作をこの順序で行うことにより、設定を行いたい領域（キー選択を行いたい領域）である設定領域ＳＲ１、ＳＲ２、およびＳＲ５の各々を選択する。閉曲線ＣＣ１は、設定領域ＳＲ１の少なくとも一部を囲むように描かれ、閉曲線ＣＣ２は、設定領域ＳＲ２の少なくとも一部を囲むように描かれ、閉曲線ＣＣ３は、設定領域ＳＲ５の少なくとも一部を囲むように描かれる。
【００５５】
表示装置１は、閉曲線ＣＣ１、ＣＣ２、およびＣＣ３の各々を描く操作を受け付けた場合、閉曲線ＣＣ１、ＣＣ２、およびＣＣ３で規定される領域（閉領域）の各々の内部に存在する設定領域ＳＲ１、ＳＲ２、およびＳＲ５の各々の選択をこの順序で受け付ける。表示装置１は、閉領域内にキーが存在する場合に、そのキーが属する設定領域の選択を受け付けてもよい。具体的には、表示装置１は、閉曲線ＣＣ１内にキーＫＹ１１〜ＫＹ１６のうちいずれかが存在する場合に、そのキーが属する設定領域ＳＲ１の選択を受け付けてもよい。
【００５６】
図５は、本発明の一実施の形態において、操作画面ＣＳ１上でユーザーが行う、設定領域を選択する操作の他の例を模式的に示す図である。
【００５７】
図５を参照して、ユーザーは、閉曲線を描く代わりに、設定領域内におけるキー以外の部分へタッチを行うことにより、設定領域を選択してもよい。たとえば設定領域ＳＲ２を選択する場合に、ユーザーは、設定領域ＳＲ２内におけるキーＫＹ２１およびＫＹ２２以外の部分へタッチを行う。
【００５８】
表示装置１は、設定領域内に存在するキー以外の部分へのタッチを受け付けた場合に、受け付けたタッチが属する設定領域の選択を受け付ける。具体的には、表示装置１は、設定領域ＳＲ２内におけるキーＫＹ２１およびＫＹ２２以外の部分へタッチを受け付けた場合に、設定領域ＳＲ２の選択を受け付ける。
【００５９】
表示装置１は、図４に示す設定領域の選択方法と図５に示す設定領域の選択方法のうち、いずれか一方のみを採用してもよいし、両方を採用してもよい。また、選択される設定領域の数は任意であり、１つであってもよい。
【００６０】
以降の図６〜図１６では、設定領域ＳＲ１、ＳＲ２、およびＳＲ５が選択されていることを前提とする。
【００６１】
図６は、本発明の一実施の形態において、設定領域を選択した後にユーザーが行う、操作画面ＣＳ１を拡大する操作の一例を模式的に示す図である。
【００６２】
図６を参照して、ユーザーは、設定領域を選択した後で、操作画面ＣＳ１上の任意の位置で、矢印ＡＲ１で示すピンチアウトを行う。操作画面ＣＳ１を拡大する操作は任意の操作であればよく、ピンチアウトの他、ハードウェアキー１３１の一つである拡大キーの押下などであってもよい。
【００６３】
図７は、本発明の一実施の形態において、表示装置１が操作画面ＣＳ１を拡大する操作を受け付けた場合に、表示する拡大画面ＥＬ１を模式的に示す図である。
【００６４】
図７を参照して、表示装置１は、操作画面ＣＳ１を拡大する操作を受け付けた場合に、基準となる拡大率よりも高い拡大率（１００％より高い拡大率）で操作画面ＣＳ１を拡大した拡大画面を表示する。拡大画面には選択した設定領域の全体が含まれる。領域表示装置１は、複数の設定領域が選択された場合、選択された複数の設定領域のうち最初に選択された設定領域ＳＲ１の全体を含む拡大画面ＥＬ１を表示する。これにより、ユーザーが設定を行いたい領域である設定領域ＳＲ１が拡大され、設定領域ＳＲ１における設定が容易になる。
【００６５】
図８は、本発明の一実施の形態において、拡大画面ＥＬ１上でユーザーが行うキーＫＹ１１の押下を模式的に示す図である。
【００６６】
図８を参照して、拡大画面ＥＬ１に含まれる設定領域ＳＲ１内のキーのうち、キーＫＹ１１は、オートカラーを選択するためのキーである。キーＫＹ１２は、フルカラーを選択するためのキーである。キーＫＹ１３はブラックを選択するためのキーである。キーＫＹ１４は、２色カラーを選択するためのキーである。キーＫＹ１５は、単色カラーを選択するためのキーである。
【００６７】
表示装置１は、キーＫＹ１１、ＫＹ１２、ＫＹ１３、ＫＹ１４、およびＫＹ１５のうちいずれかが押下された場合に、押下されたキーに関する画像のカラーの設定を受け付ける。ここでは、キーＫＹ１１が押下され、表示装置１は、画像のカラーとして「オートカラー」の設定を受け付ける。
【００６８】
また表示装置１は、拡大画面に含まれる設定領域が、設定項目の設定を完了するキーを含む場合において、設定項目の設定を完了するキーの押下を受け付けたときは、選択された複数の設定領域のうち２番目に選択された設定領域ＳＲ２の全体を含む拡大画面を表示する。
【００６９】
拡大画面ＥＬ１において、設定領域ＳＲ１に含まれるキーＫＹ１１、ＫＹ１２、ＫＹ１３、ＫＹ１４、およびＫＹ１５の各々は、画像のカラーの設定を完了するキーである。表示装置１は、キーＫＹ１１、ＫＹ１２、ＫＹ１３、ＫＹ１４、およびＫＹ１５のうちいずれかの押下を、別の設定領域を表示させる操作と判断する。表示装置１は、キーＫＹ１１、ＫＹ１２、ＫＹ１３、ＫＹ１４、およびＫＹ１５のうちいずれかが押下された場合に、選択された設定領域のうち未だ拡大画面を表示していない設定領域の全体を含む拡大画面を表示する。
【００７０】
図９は、本発明の一実施の形態において、拡大画面ＥＬ１上でキーＫＹ１１が押下された場合に表示装置１が表示する拡大画面ＥＬ２を模式的に示す図である。
【００７１】
図９を参照して、拡大画面ＥＬ２は、２番目に選択された設定領域ＳＲ２の全体を含む拡大画面である。表示装置１は、拡大して表示する領域を、次に選択された設定領域ＳＲ２に移動する。これにより、ユーザーが設定を行いたい領域である設定領域ＳＲ２が拡大され、設定領域ＳＲ２における設定が容易になる。
【００７２】
設定領域ＳＲ２において、キーＫＹ２１は、画像の印刷濃度を１段階薄くするためのキーである。キーＫＹ２２は、画像の印刷濃度を１段階濃くするためのキーである。ユーザーは、キーＫＹ２１またはＫＹ２２を押下することにより、画像の印刷濃度を変更する。
【００７３】
図１０は、本発明の一実施の形態において、拡大画面ＥＬ２上でユーザーが行うフリック操作を模式的に示す図である。
【００７４】
図１０を参照して、ユーザーは、設定領域ＳＲ２において画像の印刷濃度を変更した後、拡大画面ＥＬ２上の任意の位置において、矢印ＡＲ２で示すフリック操作を行う。
【００７５】
表示装置１は、拡大画面に含まれる設定領域が、設定項目の設定を完了するキーを含まない場合において、フリック操作を受け付けたときは、選択された複数の設定領域のうち３番目に選択された設定領域ＳＲ５の全体を含む拡大画面を表示する。
【００７６】
拡大画面ＥＬ２において、設定領域ＳＲ２に含まれるキーＫＹ２１およびＫＹ２２の各々は、画像の印刷濃度の設定を完了するキーではない。すなわち、表示装置１は、キーＫＹ２１またはＫＹ２２の押下を受け付けても、その押下により画像の印刷濃度の設定が完了したとは認識しない。キーＫＹ２１またはＫＹ２２が再度押下され、画像の印刷濃度がさらに変更される可能性があるためである。この場合表示装置１は、フリック操作を、別の設定領域を表示させる操作と判断する。表示装置１は、拡大画面ＥＬ２上でフリック操作を受け付けた場合に、画像の印刷濃度の設定が完了したものとみなし、選択された設定領域のうち未だ拡大画面を表示していない設定領域の全体を含む拡大画面を表示する。
【００７７】
なお、トグル式のキーは、押下される度に設定内容が切り替わるものであるので、設定項目の設定を完了するキーには含まれない。
【００７８】
図１１は、本発明の一実施の形態において、拡大画面ＥＬ２上でフリック操作が行われた場合に表示装置１が表示する拡大画面ＥＬ３を模式的に示す図である。
【００７９】
図１１を参照して、拡大画面ＥＬ３は、３番目に選択された設定領域ＳＲ５の全体を含む拡大画面である。表示装置１は、拡大して表示する領域を、次に選択された設定領域ＳＲ５に移動する。これにより、ユーザーが設定を行いたい領域である設定領域ＳＲ５が拡大され、設定領域ＳＲ５における設定が容易になる。
【００８０】
設定領域ＳＲ５は、キーＫＹ５１、ＫＹ５２、ＫＹ５３、およびＫＹ５４を含んでいる。キーＫＹ５１は、原稿の片面の画像を用紙の片面に印刷（片面→片面で印刷）するためのキーである。キーＫＹ５２は、原稿の片面の画像を用紙の両面に印刷（片面→両面で印刷）するためのキーである。キーＫＹ５３は、原稿の両面の画像を用紙の片面に印刷（両面→片面で印刷）するためのキーである。キーＫＹ５４は、原稿の両面の画像を用紙の両面に印刷（両面→両面で印刷）するためのキーである。また、設定領域ＳＲ５は、開き方向を選択するポップアップ画面を表示するためのキーＫＹ５５をさらに含んでいる。
【００８１】
図１２は、本発明の一実施の形態において、拡大画面ＥＬ３上でユーザーが行うキーＫＹ５１の押下を模式的に示す図である。
【００８２】
図１２を参照して、表示装置１は、キーＫＹ５１、ＫＹ５２、ＫＹ５３、およびＫＹ５４のうちいずれかが押下された場合に、押下されたキーに関する設定を受け付ける。ここでは、キーＫＹ５１が押下され、表示装置１は、原稿の読み取り面および用紙への印刷面として「片面→片面」の選択を受け付ける。
【００８３】
また拡大画面ＥＬ３において、設定領域ＳＲ５に含まれるキーＫＹ５１、ＫＹ５２、ＫＹ５３、およびＫＹ５４の各々は、画像のカラーの設定を完了するキーである。この場合表示装置１は、キーＫＹ５１、ＫＹ５２、ＫＹ５３、およびＫＹ５４のうちいずれかの押下を、別の設定領域を表示させる操作と判断する。
【００８４】
ここでは、全ての設定領域の拡大画面が表示済みであるので、表示装置１は、キーＫＹ５１の押下を受け付けた場合、基準となる拡大率で操作画面ＣＳ１を表示する（操作画面ＣＳ１に戻る）。
【００８５】
なお、選択された設定領域を拡大して表示する順序は任意であるが、上述のように選択された順序であることが好ましい。表示装置１は、別の設定領域を表示させる操作を受け付けた場合に、選択された複数の設定領域のうち未だ拡大画面を表示していない１つの設定領域の全体を含む拡大画面を表示すればよい。
【００８６】
また、拡大画面ＥＬ１、ＥＬ２、およびＥＬ３の各々の拡大率は、基準となる拡大率よりも高ければよく、同一であっても、互いに異なっていてもよい。
【００８７】
図１３は、本発明の一実施の形態において、拡大画面ＥＬ１上でユーザーが行う設定に無関係な位置へのタッチを模式的に示す図である。
【００８８】
図１３を参照して、ユーザーは、拡大画面ＥＬ１において、選択した設定領域ＳＲ１、ＳＲ２、およびＳＲ５外へのタッチ（拡大した設定項目とは無関係な位置へのタッチ）を行う。表示装置１は、拡大画面を表示している場合に、拡大した設定項目とは無関係な位置へのタッチを受け付けると、ユーザーが拡大表示を中止したいものと判断し、基準となる拡大率で操作画面ＣＳ１を表示する（操作画面ＣＳ１に戻る）。
【００８９】
［画面遷移を伴うキーが押下された場合の表示装置の動作］
【００９０】
次に、本実施の形態において、画面遷移を伴うキーが押下された場合の表示装置の動作について説明する。
【００９１】
図１４は、本発明の一実施の形態において、拡大画面ＥＬ１上でユーザーが行うキーＫＹ１６の押下を模式的に示す図である。
【００９２】
図１４を参照して、設定領域ＳＲ１に含まれるキーＫＹ１６は、単色カラー（キーＫＹ１５）の色を設定するためのキーであり、別の画面への遷移を伴うキーである。表示装置１は、キーＫＹ１６の押下を受け付けた場合に、単色カラーの色の選択を受け付けるポップアップ画面を表示する（アクティブな画面を操作画面ＣＳ１からポップアップ画面に遷移する）。
【００９３】
図１５は、本発明の一実施の形態において、操作画面ＣＳ１上に表示されたポップアップ画面ＰＳの一例を模式的に示す図である。
【００９４】
図１５を参照して、表示装置１は、ポップアップ画面ＰＳを、操作画面ＣＳ１の上に重ねて表示する。操作画面ＣＳ１およびポップアップ画面ＰＳの各々は、拡大率を１００％に戻して（基準となる拡大率で）表示される。これにより、ユーザーは新たに表示されたポップアップ画面ＰＳの全体を見ることができる。ポップアップ画面ＰＳは、複数の色の候補と、ポップアップ画面ＰＳを閉じるためのキーＫＹ１７とを含んでいる。
【００９５】
ユーザーは、ポップアップ画面ＰＳにおいて単色カラーの色を選択した後、キーＫＹ１７を押下する。表示装置１は、キーＫＹ１７の押下を受け付けると、設定項目の設定が完了したものと判断し、次に選択された設定領域を含む拡大画面（ここでは設定領域ＳＲ２の全体を含む拡大画面ＥＬ２（図９））を表示する（拡大率を再び高くする）。
【００９６】
図１６は、本発明の一実施の形態において、操作画面ＣＳ１上に表示されたポップアップ画面ＰＳの他の例を模式的に示す図である。
【００９７】
図１６を参照して、表示装置１がポップアップ画面ＰＳを表示する場合、表示装置１は、ポップアップ画面ＰＳを、ポップアップ画面ＰＳを表示する前の画面である拡大画面ＥＬ１の上に重ねて表示してもよい。この場合、拡大画面ＥＬ１の表示状態（拡大率）は維持されるので、ユーザーの注意をポップアップ画面ＰＳに向けることができる。
【００９８】
表示装置１は、図１５および図１６のいずれの表示態様を採用するかの設定を、ユーザーから予め受け付けてもよい。
【００９９】
なお、別の画面への遷移には、上述のようにポップアップ画面を操作画面に重ねて表示する場合の他、表示する画面を操作画面とは別の画面に切り替える場合も含まれる。表示する画面を操作画面とは別の画面に切り替える場合、表示装置１は、拡大率を１００％に戻して（基準となる拡大率で）、別の画面を表示する。
【０１００】
［組合せ不可の設定項目の設定領域が選択された場合の表示装置の動作］
【０１０１】
次に、本実施の形態において、組合せ不可の設定項目の設定領域が選択された場合の表示装置の動作について説明する。
【０１０２】
図１７は、本発明の一実施の形態において、表示装置１が操作パネル１３０に表示する操作画面ＣＳ２を模式的に示す図である。
【０１０３】
図１７を参照して、表示装置１が、表示装置１のＩＰＶ６などに関する設定を受け付ける状態にある場合、表示装置１は、基準となる拡大率（１００％の拡大率）で、操作画面ＣＳ２を表示する。操作画面ＣＳ２は、複数の設定領域ＳＲ１１、ＳＲ１２、およびＳＲ１３を含んでいる。複数の設定領域ＳＲ１１、ＳＲ１２、およびＳＲ３の各々は、互いに異なる複数の設定項目の各々に関する設定を受け付ける領域である。
【０１０４】
具体的には、設定領域ＳＲ１１は、ＩＰＶ６の自動設定を使用するか否かの設定を受け付ける領域である。設定領域ＳＲ１１は、キーＫＹ１１１およびＫＹ１１２を含んでいる。
【０１０５】
設定領域ＳＲ１２は、ＤＨＣＰＶ６の自動設定を使用するか否かの設定を受け付ける領域である。設定領域ＳＲ１２は、キーＫＹ１２１およびＫＹ１２２を含んでいる。
【０１０６】
設定領域ＳＲ１３は、各種ＩＰアドレスの設定（手入力）を受け付ける領域である。設定領域ＳＲ１３は、グローバルアドレスの入力欄Ｍ１と、ゲートウェイアドレスの入力欄Ｍ２と、リンクローカルアドレスの入力欄Ｍ３とを含んでいる。
【０１０７】
ユーザーは、設定領域ＳＲ１１およびＳＲ１３を選択した後で、操作画面ＣＳ２を拡大する操作を行う。
【０１０８】
図１８は、本発明の一実施の形態において、操作画面ＣＳ２を拡大する操作を受け付けた場合に、表示装置１が表示する拡大画面ＥＬ４を模式的に示す図である。
【０１０９】
図１７および図１８を参照して、表示装置１は、操作画面ＣＳ２を拡大する操作を受け付けた場合に、選択された複数の設定領域のうち最初に選択された設定領域ＳＲ１１の全体を含む拡大画面ＥＬ４を表示する。
【０１１０】
ユーザーは、設定項目の設定を完了するキーであるキーＫＹ１１１を押下することにより、ＩＰＶ６の自動設定をオンにする選択を行う。ここで、ＩＰＶ６の自動設定がオンの場合には、設定領域ＳＲ１３において設定を受け付けるグローバルアドレス、ゲートウェイアドレス、およびリンクローカルアドレスは、表示装置１によって自動的に設定される状態になる。したがって、表示装置１は、たとえ次に設定領域ＳＲ１３の全体を含む拡大画面が表示されたとしても、設定領域ＳＲ１３における入力欄Ｍ１、Ｍ２、およびＭ３の各々への手入力を受け付けることができない。
【０１１１】
このように、選択された複数の設定領域のうち未だ拡大画面を表示していない設定領域ＳＲ１３の内容（各種ＩＰアドレスの手入力）と、既に選択を受け付けた設定領域ＳＲ１１の内容（各種ＩＰアドレスの自動設定）との組合せが不可（禁止されている）場合、表示装置１は、未だ拡大画面を表示していない設定領域ＳＲ１３の拡大画面を表示しない。表示装置１は、キーＫＹ１１１の押下を受け付けた場合、表示する画面を拡大画面ＥＬ４から操作画面ＣＳ２に戻す。
【０１１２】
［サブ設定領域を含む設定領域が選択された場合の表示装置の動作］
【０１１３】
次に、本実施の形態において、サブ設定領域を含む設定領域が選択された場合の表示装置の動作について説明する。
【０１１４】
図１９は、本発明の一実施の形態において、表示装置１が操作パネル１３０に表示する操作画面ＣＳ３を模式的に示す図である。
【０１１５】
図１９を参照して、表示装置１が、原稿の出力方法に関する詳細な設定を受け付ける状態にある場合、表示装置１は、基準となる拡大率（１００％の拡大率）で、操作画面ＣＳ３を表示する。操作画面ＣＳ３は、複数の設定領域ＳＲ２１およびＳＲ２２を含んでいる。複数の設定領域ＳＲ２１およびＳＲ２２の各々は、互いに異なる複数の設定項目の各々に関する設定を受け付ける領域である。
【０１１６】
設定領域ＳＲ２１は、原稿の読み取り面および用紙への印刷面に関する設定を受け付ける領域である。
【０１１７】
設定領域ＳＲ２２は、１枚の用紙に集約する原稿の画像の枚数に関する設定を受け付ける領域である。設定領域ＳＲ２２は、１枚の用紙に１枚の原稿の画像を割り当てる（集約しない）ためのキーＫＹ２２１と、１枚の用紙に２枚の原稿の画像を集約するための（２イン１で印刷するための）キーＫＹ２２２と、１枚の用紙に４枚の原稿の画像を集約するための（４イン１で印刷するための）キーＫＹ２２３と、１枚の用紙に８枚の原稿の画像を集約するための（８イン１で印刷するための）キーＫＹ２２４などを含んでいる。
【０１１８】
ここで、４イン１や８イン１には、連続した原稿の画像を横方向に配列させる割り付け方法（横順）と、縦方向に配列させる割り付け方法（縦順）との２通りの画像の割り付け方法がある。このため、表示装置１は、キーＫＹ２２３またはＫＹ２２４が押下された場合、サブ領域を、設定領域ＳＲ２２の右側に表示させる。図１９中点線で囲まれた領域ＳＲＸ１は、サブ領域が表示される予定の領域である。サブ領域は、キーＫＹ２２３またはＫＹ２２４に関する新たな設定を受け付ける領域（横順または縦順の割り付け方法の選択を受け付ける領域）である。
【０１１９】
ユーザーは、設定領域ＳＲ２２を選択した後で、操作画面ＣＳ３を拡大する操作を行う。
【０１２０】
図２０は、本発明の一実施の形態において、操作画面ＣＳ３を拡大する操作を受け付けた場合に、表示装置１が表示する拡大画面ＥＬ５を模式的に示す図である。図２１は、本発明の一実施の形態において、拡大画面ＥＬ５内に表示されたサブ領域ＳＲＸを模式的に示す図である。
【０１２１】
図２０を参照して、選択された設定領域ＳＲ２２に含まれるキーＫ２２３およびＹ２２４が、押下された場合にサブ領域ＳＲＸの表示を伴うものである場合、表示装置１は、選択された設定領域ＳＲ２２の全体と、サブ領域ＳＲＸが表示される予定の領域ＳＲＸ１の全体とを含む拡大画面ＥＬ５を表示する。これにより、拡大画面ＥＬ５においてキーＫＹ２２３またはＫＹ２２４が押下された場合に、図２１に示すように、サブ領域ＳＲＸを拡大画面ＥＬ５内に表示することができる。
【０１２２】
［表示装置の動作を示すフローチャート］
【０１２３】
続いて、本実施の形態における表示装置の動作を示すフローチャートについて説明する。
【０１２４】
図２２は、本発明の一実施の形態において、表示装置１が実行するタッチによる領域選択処理のフローチャートである。
【０１２５】
図２２を参照して、表示装置１のＣＰＵ１０１は、タッチパネル１３３からタッチ信号を受信すると（Ｓ１０１）、タッチされた座標の位置にキーが存在するか否かを判別する（Ｓ１０３）。
【０１２６】
ステップＳ１０３において、タッチの座標の位置にキーが存在すると判別した場合（Ｓ１０３でＹＥＳ）、ＣＰＵ１０１は、押下されたキーに関する処理を行い（Ｓ１０９）、処理を終了する。
【０１２７】
ステップＳ１０３において、タッチの座標の位置にキーが存在しないと判別した場合（Ｓ１０３でＮＯ）、ＣＰＵ１０１は、タッチの座標の位置に設定領域が存在するか否かを判別する（Ｓ１０５）。
【０１２８】
ステップＳ１０５において、タッチの座標の位置に設定領域が存在しないと判別した場合（Ｓ１０５でＮＯ）、ＣＰＵ１０１は、処理を終了する。
【０１２９】
ステップＳ１０５において、タッチの座標の位置に設定領域が存在すると判別した場合（Ｓ１０５でＹＥＳ）、ＣＰＵ１０１は、その設定領域が選択されたと認識し（Ｓ１０７）、処理を終了する。
【０１３０】
図２３は、本発明の一実施の形態において、表示装置１が実行する閉領域による領域選択処理のフローチャートである。
【０１３１】
図２３を参照して、表示装置１のＣＰＵ１０１は、タッチパネル１３３からタッチ信号を受信すると（Ｓ２０１）、受信したタッチ信号がプレス信号（所定時間以上検知され続けるもの）であるか否かを判別する（Ｓ２０３）。
【０１３２】
ステップＳ２０３において、受信したタッチ信号がプレス信号でないと判別した場合（Ｓ２０３でＮＯ）、ＣＰＵ１０１は、タッチ信号の座標をクリアし（Ｓ２１３）、処理を終了する。
【０１３３】
ステップＳ２０３において、受信したタッチ信号がプレス信号であると判別した場合（Ｓ２０３でＹＥＳ）、ＣＰＵ１０１は、タッチ信号の座標の変化を保持し（Ｓ２０５）、検知したタッチ信号の座標が、タッチ信号の始点の座標とクロス（一致）したか否かを判別する（Ｓ２０７）。
【０１３４】
ステップＳ２０７において、検知したタッチ信号の座標が、タッチ信号の始点の座標とクロスしないと判別した場合（Ｓ２０７でＮＯ）、ＣＰＵ１０１は、ステップＳ２０１の処理へ進む。
【０１３５】
ステップＳ２０７において、検知したタッチ信号の座標が、タッチ信号の始点の座標とクロスしたと判別した場合（Ｓ２０７でＹＥＳ）、閉曲線が描かれた状態にある。この場合ＣＰＵ１０１は、閉曲線のエリア内に設定領域が存在するか否かを判別する（Ｓ２０９）。
【０１３６】
ステップＳ２０９において、閉曲線のエリア内に設定領域が存在すると判別した場合（Ｓ２０９でＹＥＳ）、ＣＰＵ１０１は、その設定領域が選択されたと認識し（Ｓ２１１）、処理を終了する。
【０１３７】
ステップＳ２０９において、閉曲線のエリア内に設定領域が存在しないと判別した場合（Ｓ２０９でＮＯ）、ＣＰＵ１０１は、閉曲線のエリア内にキーが存在するか否かを判別する（Ｓ２１５）。
【０１３８】
ステップＳ２１５において、閉曲線のエリア内にキーが存在しないと判別した場合（Ｓ２１５でＮＯ）、ＣＰＵ１０１は処理を終了する。
【０１３９】
ステップＳ２１５において、閉曲線のエリア内にキーが存在すると判別した場合（Ｓ２１５でＹＥＳ）、ＣＰＵ１０１は、そのキーが属する設定領域が選択されたと認識し（Ｓ２１７）、処理を終了する。
【０１４０】
図２４は、本発明の一実施の形態において、表示装置１が実行する拡大操作処理のフローチャートである。
【０１４１】
図２４を参照して、ＣＰＵ１０１は、タッチパネル１３３から拡大操作の信号を受信すると（Ｓ３０１）、設定領域が選択されているか否かを判別する（Ｓ３０３）。
【０１４２】
ステップＳ３０３において、設定領域が選択されていると判別した場合（Ｓ３０３でＹＥＳ）、ＣＰＵ１０１は、第１の選択領域（最初に選択された設定領域）を拡大の対象に設定する（Ｓ３０５）。続いてＣＰＵ１０１は、対象となる領域全体が表示されるように対象となる領域を拡大し（Ｓ３０７）、処理を終了する。
【０１４３】
ステップＳ３０３において、設定領域が選択されていないと判別した場合（Ｓ３０３でＮＯ）、ＣＰＵ１０１は、タッチの座標を中心として画面を拡大し（Ｓ３０９）、処理を終了する。
【０１４４】
図２５は、本発明の一実施の形態において、表示装置１が実行するキー選択処理のフローチャートである。
【０１４５】
図２５を参照して、ＣＰＵ１０１は、キーの押下またはフリック操作を受け付けると（Ｓ４０１）、操作画面を拡大中か否かを判別する（Ｓ４０３）。
【０１４６】
ステップＳ４０３において、操作画面を拡大中でないと判別した場合（Ｓ４０３でＮＯ）、ＣＰＵ１０１は処理を終了する。
【０１４７】
ステップＳ４０３において、操作画面を拡大中であると判別した場合（Ｓ４０３でＹＥＳ）、ＣＰＵ１０１は、画面を遷移させるキーの押下を受け付けたか否かを判別する（Ｓ４０５）、
【０１４８】
ステップＳ４０５において、画面を遷移させるキーの押下を受け付けたと判別した場合（Ｓ４０５でＹＥＳ）、ＣＰＵ１０１は、図２６に示す次画面遷移処理を行い（Ｓ４１３）、処理を終了する。
【０１４９】
ステップＳ４０５において、画面を遷移させるキーの押下を受け付けないと判別した場合（Ｓ４０５でＮＯ）、ＣＰＵ１０１は、次の設定領域（選択された設定領域のうち未表示のもの）が存在するか否かを判別する（Ｓ４０７）。
【０１５０】
ステップＳ４０７において、次の設定領域が存在しないと判別した場合（Ｓ４０７でＮＯ）、ＣＰＵ１０１は、操作画面の拡大率を１００％に戻し、設定領域の選択を解除し（Ｓ４１５）、処理を終了する。
【０１５１】
ステップＳ４０７において、次の設定領域が存在すると判別した場合（Ｓ４０７でＹＥＳ）、ＣＰＵ１０１は、次の設定領域に属するキーは選択可能な状態であるか否かを判別する（Ｓ４０９）。
【０１５２】
ステップＳ４０９において、次の設定領域に属するキーは選択可能な状態であると判別した場合（Ｓ４０９でＹＥＳ）、ＣＰＵ１０１は、表示する部分を次の設定領域に移動し（Ｓ４１１）、処理を終了する。
【０１５３】
ステップＳ４０９において、次の設定領域に属するキーは選択可能な状態でないと判別した場合（Ｓ４０９でＮＯ）、ＣＰＵ１０１は、次の設定領域の拡大表示をスキップし（Ｓ４１７）、ステップＳ４０７の処理へ進む。
【０１５４】
図２６は、図２５のステップＳ４１３の次画面遷移処理のサブルーチンである。
【０１５５】
図２６を参照して、次画面遷移処理において、ＣＰＵ１０１は、拡大を維持した状態で画面を遷移する設定を受け付けているか否かを判別する（Ｓ５０１）。
【０１５６】
ステップＳ５０１において、拡大を維持した状態で画面を遷移する設定を受け付けていると判別した場合（Ｓ５０１でＹＥＳ）、ＣＰＵ１０１は、遷移前の画面の拡大率を維持し（Ｓ５０３）、次画面を表示する（Ｓ５０５）。その後、ＣＰＵ１０１はリターンする。
【０１５７】
ステップＳ５０１において、拡大を維持した状態で画面を遷移する設定を受け付けていないと判別した場合（Ｓ５０１でＮＯ）、ＣＰＵ１０１は、遷移前の画面の拡大率を１００％に戻し（Ｓ５０７）、次画面を表示する（Ｓ５０５）。その後、ＣＰＵ１０１はリターンする。
【０１５８】
図２７は、本発明の一実施の形態において、表示装置１が実行する元画面遷移処理のフローチャートである。
【０１５９】
図２７を参照して、ＣＰＵ１０１は、遷移先の画面を表示した状態で、画面を消去する操作（閉じるキーの押下など）を受け付ける（Ｓ６０１）と、遷移先の画面が拡大中であるか否かを判別する（Ｓ６０３）。
【０１６０】
ステップＳ６０３において、遷移先の画面が拡大中であると判別した場合（Ｓ６０３でＹＥＳ）、ＣＰＵ１０１は、遷移元の画面の拡大率に拡大率を戻し（Ｓ６０５）。処理を終了する。
【０１６１】
ステップＳ６０３において、遷移先の画面が拡大中でないと判別した場合（Ｓ６０３でＮＯ）、ＣＰＵ１０１は処理を終了する。
【０１６２】
［実施の形態の効果］
【０１６３】
上述の実施の形態によれば、ユーザーは、拡大したい設定領域を予め選択した上で拡大操作を行うので、所望する設定領域を拡大後の操作画面内に容易に含めることができ、操作性を向上することができる。加えて、ユーザーが複数の設定領域を予め選択した上で拡大操作を行った場合には、所望する設定領域を順番に拡大して表示することができ、ユーザーは、操作画面内でキーを探すこと無く、所望する設定を容易に行うことができる。
【０１６４】
［その他］
【０１６５】
上述の実施の形態における各部の動作は、適宜組み合わせることができる。
【０１６６】
上述の実施の形態における処理は、ソフトウェアにより行っても、ハードウェア回路を用いて行ってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１６７】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６８】
１  表示装置
４  ネットワーク
１００  制御部
１０１  ＣＰＵ（Ｃｅｎｔｒａｌ  Ｐｒｏｃｅｓｓｉｎｇ  Ｕｎｉｔ）
１０２  ＲＯＭ（Ｒｅａｄ  Ｏｎｌｙ  Ｍｅｍｏｒｙ）
１０３  ＳＲＡＭ（Ｓｔａｔｉｃ  Ｒａｎｄｏｍ  Ａｃｃｅｓｓ  Ｍｅｍｏｒｙ）
１０４  ＮＶＲＡＭ（Ｎｏｎ  Ｖｏｌａｔｉｌｅ  Ｒａｎｄｏｍ  Ａｃｃｅｓｓ  Ｍｅｍｏｒｙ
１０５  時計ＩＣ（Ｉｎｔｅｇｒａｔｅｄ  Ｃｉｒｃｕｉｔ）
１１０  固定記憶装置
１２０  画像読取装置
１３０  操作パネル
１３１  ハードウェアキー
１３２  表示部
１３３  タッチパネル
１４０  画像出力装置
１５０  プリンターコントローラー
１６０  ネットワークＩ／Ｆ
ＡＲ１，ＡＲ２  矢印
ＣＣ１，ＣＣ２，ＣＣ３  閉曲線
ＣＳ１，ＣＳ２，ＣＳ３  操作画面
ＥＬ１，ＥＬ２，ＥＬ３，ＥＬ４，ＥＬ５  拡大画面
ＫＹ１１，ＫＹ１２，ＫＹ１３，ＫＹ１４，ＫＹ１５，ＫＹ１６，ＫＹ１７，ＫＹ２１，ＫＹ２２，ＫＹ３１，ＫＹ４１，ＫＹ５１，ＫＹ５２，ＫＹ５３，ＫＹ５４，ＫＹ５５，ＫＹ６１，ＫＹ７１，ＫＹ１１１，ＫＹ１２１，ＫＹ２２１，ＫＹ２２２，ＫＹ２２３，ＫＹ２２４  キー
Ｍ１，Ｍ２，Ｍ３  入力欄
ＰＳ  ポップアップ画面
ＳＲ１，ＳＲ２，ＳＲ３，ＳＲ４，ＳＲ５，ＳＲ６，ＳＲ７，ＳＲ１１，ＳＲ１２，ＳＲ１３，ＳＲ２１，ＳＲ２２  設定領域
ＳＲＸ  サブ領域
ＳＲＸ１  サブ領域が表示される予定の領域
【図１】
0006582449.tif 000002
【図２】
0006582449.tif 000003
【図３】
0006582449.tif 000004
【図４】
0006582449.tif 000005
【図５】
0006582449.tif 000006
【図６】
0006582449.tif 000007
【図７】
0006582449.tif 000008
【図８】
0006582449.tif 000009
【図９】
0006582449.tif 000010
【図１０】
0006582449.tif 000011
【図１１】
0006582449.tif 000012
【図１２】
0006582449.tif 000013
【図１３】
0006582449.tif 000014
【図１４】
0006582449.tif 000015
【図１５】
0006582449.tif 000016
【図１６】
0006582449.tif 000017
【図１７】
0006582449.tif 000018
【図１８】
0006582449.tif 000019
【図１９】
0006582449.tif 000020
【図２０】
0006582449.tif 000021
【図２１】
0006582449.tif 000022
【図２２】
0006582449.tif 000023
【図２３】
0006582449.tif 000024
【図２４】
0006582449.tif 000025
【図２５】
0006582449.tif 000026
【図２６】
0006582449.tif 000027
【図２７】
0006582449.tif 000028